(57)【要約】【課題】子供の頭からの脱落を抑制させることが可能な子守帯を提供する。【解決手段】子守帯１００は、本体７０と、本体７０に設けられた第１大人用肩ベルト３０および第２大人用肩ベルト４０と、本体７０と第１大人用肩ベルト３０の上方における第１接続箇所３０ａと本体７０と第２大人用肩ベルト４０の上方における第２接続箇所４０ａの間から伸び出した第１子供用肩ベルト１０および第２子供用肩ベルト２０と、を備えている。【選択図】図１
2020127880.tif 000002
【特許請求の範囲】
【請求項１】
本体と、
前記本体に取り付けられた第１大人用肩ベルトおよび第２大人用肩ベルトと、
前記本体と前記第１大人用肩ベルトの上方における第１接続箇所と前記本体と前記第２大人用肩ベルトの上方における第２接続箇所の間から伸び出した子供用肩ベルトと、
を備えた子守帯。
【請求項２】
前記子供用肩ベルトを含む子供の首回りを取り囲む部分を、子供の首回りに近づける程度を調整可能な首回り長さ調整機構をさらに備えた、
請求項１に記載の子守帯。
【請求項３】
前記子供用肩ベルトは、長さ調整が可能であり、
前記首回り長さ調整機構は、前記子供用肩ベルトの長さを調節することによる調整機構である、
請求項２に記載の子守帯。
【請求項４】
前記本体の下方から伸び出した股当てと、
前記子供用肩ベルトの一部を前記股当ての上下方向における異なる位置に係止可能な上下長さ調整機構と、
をさらに備えた請求項１から３のいずれか１項に記載の子守帯。
【請求項５】
前記股当ては、上方筒状部と、前記上方筒状部よりも下方に位置する少なくとも１つの下方筒状部と、を有しており、
前記上下長さ調整機構は、前記子供用肩ベルトの一部の通過位置を、前記上方筒状部内と前記下方筒状部内とで選択可能とすることによる調整機構である、
請求項４に記載の子守帯。
【請求項６】
前記股当ては、前記上方筒状部の方が前記下方筒状部よりも肉厚に構成されている、
請求項５に記載の子守帯。
【請求項７】
前記子供用肩ベルトは、前記第１大人用肩ベルト側に位置している第１子供用肩ベルトと、前記第２大人用肩ベルト側に位置している第２子供用肩ベルトと、を有しており、
前記第１子供用肩ベルトと前記第２子供用肩ベルトとは、前記本体側とは反対側において連結および切り離しが可能となるように構成されている、
請求項１から３のいずれか１項に記載の子守帯。
【請求項８】
前記第１子供用肩ベルトと前記第２子供用肩ベルトとは、前記本体側とは反対側において取付具を介して連結および切り離しが可能となっており、
前記本体の下方から伸び出した股当てをさらに備え、
前記股当ては、前記取付具を内部に収容可能な筒状部を有している、
請求項７に記載の子守帯。
【請求項９】
前記子供用肩ベルトは、子供用ストラップ部と、前記子供用ストラップ部よりも肉厚であり前記子供用ストラップ部の周囲を覆うカバーと、を有している、
請求項１から８のいずれか１項に記載の子守帯。
【請求項１０】
前記カバーは、前記子供用ストラップ部に対して固定手段を介して位置決め固定されており、
前記固定手段は、子供側とは反対側に設けられている、
請求項９に記載の子守帯。
【請求項１１】
前記固定手段は、前記子供用ストラップ部に対する前記カバーの位置を変えて固定することが可能となるように構成されている、
請求項１０に記載の子守帯。
【請求項１２】
前記本体の下方から伸び出した股当てと、
子供のおしりの下に敷かれる座部クッションと、
をさらに備え、
前記座部クッションは、前記股当てを内側に通過させることが可能なクッションベルト部を有している、
請求項１、２、３、７のいずれか１項に記載の子守帯。
【請求項１３】
前記本体の下方に設けられ、大人の腰回りの長さを調整可能な大人用腰周り長さ調整機構を有する大人用腰ベルトをさらに備え、
前記第１大人用肩ベルトは、長さを調整可能な第１大人用ストラップ長さ調整機構を有する第１大人用ストラップ部と、前記第１大人用ストラップ部よりも肉厚な第１大人用肉厚部と、を有しており、
前記第１大人用ストラップ部の最大長さは、前記第１大人用肉厚部の長さの８０％以上であり、
前記第２大人用肩ベルトは、長さを調整可能な第２大人用ストラップ長さ調整機構を有する第２大人用ストラップ部と、前記第２大人用ストラップ部よりも肉厚な第２大人用肉厚部と、を有しており、
前記第２大人用ストラップ部の最大長さは、前記第２大人用肉厚部の長さの８０％以上であり、
前記第１大人用ストラップ部と前記第２大人用ストラップ部とは、いずれも前記大人用腰ベルトの内側に通過させることが可能な位置に設けられている、
請求項１から１２のいずれか１項に記載の子守帯。
【発明の詳細な説明】
【技術分野】
【０００１】
本発明は、子守帯に関する。
【背景技術】
【０００２】
従来より、大人が乳幼児等の子供を抱く際に、子守帯が使用されている。
【０００３】
このような子守帯としては、例えば、特許文献１（特開２００６−２５８５７号公報）、特許文献２（特開２０１３−１６２９７４号公報）、および、特許文献３（特許第５９０２２６５号）の各文献に記載の子守帯が提案されている。
【０００４】
このうち、特許文献１では、子供の頭部を支えることができるようにヘッドサポート部が設けられており、当該ヘッドサポート部を起立させた状態とするために調節ベルトが設けられた子守帯が提案されている。
【０００５】
また、特許文献２および特許文献３では、子供の股当ての上端の左右それぞれの突出部に設けられたバックルを、左右の大人用肩ベルトとシート上端との各接合箇所に設けられたバックルに対して連結させることで、子供をシートと股当てとの間に拘束させる子守帯が提案されている。
【発明の概要】
【発明が解決しようとする課題】
【０００６】
これらの特許文献に記載の子守帯は、いずれも、子供が縦になった状態で抱くあるいは背負う場合については、子供の重力が股当て側に作用する状態での使用のみが想定されている。
【０００７】
ところが、子守帯を用いて子供を大人が抱いている状態で、大人の足下に落ちているものを拾い上げようとする場合等のように、大人が前屈みの状態になった場合には、子供の重力が股当て側とは異なる方向に作用することがある。このような場合には、上述の各特許文献に記載の子守帯では、大人が前屈みの状態になった場合に、子供が頭から落下してしまうというおそれがある。この子供が頭から落下してしまうことは、子供が大人の前で対面する「対面抱き」であっても、子供の背中が大人側を向いた「前向き抱き」であっても、さらには子供を大人が背負う「おんぶ」であっても同様に問題となる。なお、「おんぶ」の場合には、大人の視界に子供が入りづらいことから、特に問題となりがちである。
【０００８】
具体的には、特許文献１に記載の子守帯では、ヘッドサポート部の起立状態を調節するための調節ベルトが設けられているものの、当該調節ベルトは大人の肩に掛けられる大人用ベルトの途中に対して固定されている。したがって、子供の頭の周囲には、大人の肩幅程度に広がった空間が形成されているため、上述した子供の頭からの落下を防ぐための構造とはなっていない。
【０００９】
また、特許文献２および特許文献３に記載の子守帯では、子供の股当ての上端において、左方向に伸び出してバックルが設けられた部分と右方向に伸び出してバックルが設けられた部分とを有しているが、当該部分は、左右の大人用肩ベルトとシート上端との各接合箇所に連結されている。このため、上記特許文献１に記載の子守帯と同様に、子供の頭の周囲には、大人の肩幅程度に広がった空間が形成されているため、上述した子供の頭からの落下を防ぐための構造とはなっていない。
【００１０】
本発明の課題は、上述した点に鑑みてなされたものであり、子供の頭からの脱落を抑制させることが可能な子守帯を提供することにある。
【課題を解決するための手段】
【００１１】
第１観点に係る子守帯は、本体と、第１大人用肩ベルトと、第２大人用肩ベルトと、子供用肩ベルトと、を備えている。第１大人用肩ベルトは、本体に取り付けられている。第２大人用肩ベルトは、本体に取り付けられている。子供用肩ベルトは、第１接続箇所と第２接続箇所の間から伸び出している。第１接続箇所は、本体と第１大人用肩ベルトの上方における接続箇所である。第２接続箇所は、本体と第２大人用肩ベルトの上方における接続箇所である。
【００１２】
この子供用肩ベルトは、１つの部材によって構成されていてもよいし、２以上の複数の部材によって構成されていてもよい。１つの部材によって構成されている場合には、例えば、その両端の一方が本体に対して着脱可能に構成されていることが好ましい。また、子供用肩ベルトは、子供の首の右側と左側と前側とを連なるように設けられている必要はなく、少なくとも子供の左右のいずれかの肩の上方において前後方向に伸びていることが好ましく、子供の左右の肩のいずれにおいても前後方向に伸びていることがより好ましい。ここで、子供の左右の肩のいずれかのみに子供用肩ベルトが設けられる場合には、第１接続箇所と第２接続箇所の間の部分とは反対側の端部は、正面視における左右方向の同じ位置またはより子供の中心側の位置において他の部分（子守帯における他の部分）に固定されることが好ましい。さらに、子供の左右の肩のいずれにおいても子供用肩ベルトが前後方向に伸びるように設けられる場合には、左右の子供用肩ベルトの端部同士が連結可能であってもよいし、左右の子供用肩ベルトがそれぞれ異なる他の部分（子守帯における他の部分）に対して固定されていてもよい。左右の子供用肩ベルトがそれぞれ異なる他の部分（子守帯における他の部分）に対して固定される場合には、左右の子供用肩ベルトのうち少なくともいずれかが、正面視における左右方向の同じ位置またはより子供の中心側の位置において他の部分（子守帯における他の部分）に固定されていることが好ましい。
【００１３】
一般に、子供の肩幅は大人の肩幅よりも小さいため、仮に、子供用肩ベルトを大人用肩ベルトに対して接続固定していた場合には、子供用肩ベルトを子供の肩の近くに位置させることが難しい。
【００１４】
これに対して、この子守帯では、子供用肩ベルトが、本体の上方のうち第１大人用肩ベルトと第２大人用肩ベルトとの各接続箇所の間から伸び出すようにして設けられている。ここで、子供用肩ベルトをより確実に子供の肩の近くに位置させることが可能になっている。したがって、使用時に大人が前屈みになったとしても、子供の肩を子供用肩ベルトによって支えることが可能となる。
【００１５】
これにより、子供の頭からの脱落を抑制させることが可能となる。
【００１６】
第２観点に係る子守帯は、第１観点に係る子守帯であって、首回り長さ調整機構をさらに備えている。首回り長さ調整機構は、子供用肩ベルトを含む子供の首回りを取り囲む部分を子供の首回りに近づける程度を調整可能である。
【００１７】
ここで、子守帯のうち子供の首回りを囲む部分は、子供用肩ベルトを含んでいれば特に限定されず、子供用肩ベルトと本体下方から伸び出すように設けられた股当ての上方部分をさらに含んでいてもよい。
【００１８】
この首回り長さ調整機構は、特に限定されず、子供用肩ベルト自体の長さが調節可能なもので構成されていてもよいし、本体下方から伸び出すように設けられた股当てを備えている場合には子供用肩ベルト自体の長さは調節できずに子供用肩ベルトを股当てに対して固定させる位置が可変となるように構成（例えば、面ファスナーや複数のボタンを用いて構成）されていてもよい。
【００１９】
この子守帯では、首回り長さ調整機構によって子供の首回りを取り囲む部分を子供の首回りに近づける程度を調節可能であるため、子供の大きさに応じた調整が可能となり、子供の頭からの脱落をより確実に抑制することが可能になる。
【００２０】
なお、子供の頭からの脱落を抑制しつつ、子供の肩周辺を過度に締め付けることがないようにすることも可能となる。
【００２１】
第３観点に係る子守帯は、第２観点に係る子守帯であって、子供用肩ベルトは、長さ調整が可能である。首回り長さ調整機構は、子供用肩ベルトの長さを調節することによる調整機構である。
【００２２】
この子守帯では、子供用肩ベルトの長さを調節することによって、子供の大きさに対応することが可能となり、子供用肩ベルトをより子供の近くに位置させることが可能になる。
【００２３】
第４観点に係る子守帯は、第１観点から第３観点のいずれかに係る子守帯であって、股当てと、上下長さ調整機構と、をさらに備えている。股当ては、本体の下方から伸び出している。上下長さ調整機構は、子供用肩ベルトの一部を股当ての上下方向における異なる位置に係止可能である。
【００２４】
この子守帯では、子供の大きさに応じて、子供用肩ベルトの股当てに対する係止位置を変えることが可能になる。具体的には、より大きな子供に使用する場合には、子供用肩ベルトを股当てのより上方の位置で係止させ、より小さな子供に使用する場合には、子供用肩ベルトを股当てのより下方の位置で係止させることで、子供の大きさに応じて安定的に子供を保持することが可能になる。
【００２５】
第５観点に係る子守帯は、第４観点に係る子守帯であって、股当ては、上方筒状部と、上方筒状部よりも下方に位置する少なくとも１つの下方筒状部と、を有している。上下長さ調整機構は、子供用肩ベルトの一部の通過位置を、上方筒状部内と下方筒状部内とで選択可能とすることによる調整機構である。
【００２６】
この股当ては、上方筒状部と下方筒状部を有しているが、さらに別の筒状部をさらに上方、さらに下方またはこれらの間に有していてもよい。また、複数の筒状部の境界が面ファスナーやボタン等の固定具によって構成されており、複数の筒状部同士を繋げて大きな筒状部に変形可能に構成されていてもよい。
【００２７】
なお、子供用肩ベルトを下方筒状部に通す場合に上方筒状部を子供側もしくは子供側とは反対側に折り畳むことができるように、上方筒状部と下方筒状部との間が折り曲げ可能に構成されていることが好ましい。なお、上方筒状部を下方筒状部に対して折り曲げる場合には、上方筒状部がクッション機能を兼ね備えている場合には、子供側に折り込むことが好ましい。
【００２８】
この子守帯では、子供の大きさに応じて、子供用肩ベルトを通過させる股当ての筒状部の通過位置を選択することにより、子供を安定的に保持することが可能になる。具体的には、より大きな子供に使用する場合には、子供用肩ベルトを上方筒状部に通し、より小さな子供に使用する場合には、子供用肩ベルトを下方筒状部に通すことで、子供の大きさに応じて子供を安定的に保持することが可能になる。
【００２９】
また、子供用肩ベルトを股当ての筒状部の内側を通過させることにより、子供用肩ベルトが子供の首に巻き付いてしまうおそれを低減させることができる。
【００３０】
第６観点に係る子守帯は、第５観点に係る子守帯であって、股当ては、上方筒状部の方が下方筒状部よりも肉厚に構成されている。
【００３１】
この子守帯では、股当ての上方筒状部が下方筒状部よりも肉厚に構成されている。このため、子供用肩ベルトを股当ての下方筒状部に通過させて用いる場合において、上方筒状部を子供側に折り込んで用いることにより、子供に当たる部分を柔らかくすることが可能になる。
【００３２】
第７観点に係る子守帯は、第１観点から第３観点のいずれかに係る子守帯であって、子供用肩ベルトは、第１大人用肩ベルト側に位置している第１子供用肩ベルトと、第２大人用肩ベルト側に位置している第２子供用肩ベルトと、を有している。第１子供用肩ベルトと第２子供用肩ベルトとは、本体側とは反対側において連結および切り離しが可能となるように構成されている。
【００３３】
この子守帯では、第１子供用肩ベルトと第２子供用肩ベルトとを切り離すことが可能であるため、切り離した状態では第１子供用肩ベルトと第２子供用肩ベルトとが連続していない状態にすることができる。したがって、第１子供用肩ベルトと第２子供用肩ベルトとを切り離した状態では、長い部材が子供に巻き付いてしまうおそれを低減させることができる。
【００３４】
第８観点に係る子守帯は、第７観点に係る子守帯であって、股当てをさらに備えている。股当ては、本体の下方から伸び出している。第１子供用肩ベルトと第２子供用肩ベルトとは、本体側とは反対側において取付具を介して連結および切り離しが可能となっている。股当ては、取付具を内部に収容可能な筒状部を有している。
【００３５】
なお、ここでは、股当てが有する筒状部は、１つであっても複数であってもよい。
【００３６】
この子守帯では、第１子供用肩ベルトと第２子供用肩ベルトとを取付具を用いて連結させる場合に、当該取付具を股当ての筒状部の内部に収容させることができる。このため、取付具として硬い材料の部材を用いた場合であっても、当該取付具が直接子供に接触することを防ぐことが可能になる。
【００３７】
第９観点に係る子守帯は、第１観点から第８観点のいずれかに係る子守帯であって、子供用肩ベルトは、子供用ストラップ部と、カバーと、を有している。カバーは、子供用ストラップ部よりも肉厚であり子供用ストラップ部の周囲を覆っている。
【００３８】
この子守帯では、子供の頭からの脱落を抑制させるために大人用肩ベルトよりも内側に配置された子供用肩ベルトを用いて、子供の首回り近くに子供用肩ベルトが配置され、子供に子供用肩ベルトが接触しやすい配置構成となっている場合であっても、肉厚のカバーを設けることで子供の肌を傷つけにくくすることができる。
【００３９】
第１０観点に係る子守帯は、第９観点に係る子守帯であって、カバーは、子供用ストラップ部に対して固定手段を介して位置決め固定されている。固定手段は、子供側とは反対側に設けられている。
【００４０】
この子守帯では、固定手段を用いてカバーを子供用ストラップ部に固定することが可能になっている。そして、子供用ストラップ部に対するカバーの位置を定める固定手段は、子供側とは反対側に設けられているため、固定手段が子供に直接触れないようにすることができる。
【００４１】
第１１観点に係る子守帯は、第１０観点に係る子守帯であって、固定手段は、子供用ストラップ部に対するカバーの位置を変えて固定することが可能となるように構成されている。
【００４２】
この子守帯では、子供用ストラップ部に対するカバーの位置を変えて固定することが可能になるため、子供用ストラップ部が子供に直接触れにくいようにすることが可能になる。
【００４３】
第１２観点に係る子守帯は、第１観点、第２観点、第３観点、第７観点のいずれかに係る子守帯であって、股当てと、座部クッションと、をさらに備えている。股当ては、本体の下方から伸び出している。座部クッションは、子供のおしりの下に敷かれて用いられる。座部クッションは、股当てを内側に通過させることが可能なクッションベルト部を有している。
【００４４】
この子守帯では、座部クッションに設けられたクッションベルト部の内側に股当てを通過させることで、座部クッションを取り付け固定することが可能になる。
【００４５】
第１３観点に係る子守帯は、第１観点から第１２観点のいずれかに係る子守帯であって、大人用腰ベルトをさらに備えている。大人用腰ベルトは、本体の下方に設けられており、大人の腰回りの長さを調整可能な大人用腰周り長さ調整機構を有している。第１大人用肩ベルトは、第１大人用ストラップ部と、第１大人用肉厚部と、を有している。第１大人用ストラップ部は、長さを調整可能な第１大人用ストラップ長さ調整機構を有している。第１大人用肉厚部は、第１大人用ストラップ部よりも肉厚に構成されている。第１大人用ストラップ部の最大長さは、第１大人用肉厚部の長さの８０％以上である。第２大人用肩ベルトは、第２大人用ストラップ部と、第２大人用肉厚部と、を有している。第２大人用ストラップ部は、長さを調整可能な第２大人用ストラップ長さ調整機構を有している。第２大人用肉厚部は、第２大人用ストラップ部よりも肉厚に構成されている。第２大人用ストラップ部の最大長さは、第２大人用肉厚部の長さの８０％以上である。第１大人用ストラップ部と第２大人用ストラップ部とは、いずれも大人用腰ベルトの内側に通過させることが可能な位置に設けられている。
【００４６】
なお、第１大人用ストラップ部の最大長さは、第１大人用肉厚部の長さの１００％以上であることがより好ましく、第２大人用ストラップ部の最大長さは、第２大人用肉厚部の長さの１００％以上であることがより好ましい。なお、第１大人用ストラップ部の最大長さは、第１大人用肉厚部の長さの２００％以下であることがより好ましく、第２大人用ストラップ部の最大長さは、第２大人用肉厚部の長さの２００％以下であることがより好ましい。
【００４７】
この子守帯では、大人用ストラップ部の長さを大人用ストラップ長さ調整機構を用いて長くして、大人用腰周り長さ調整機構を用いて内周を小さくした大人用腰ベルトの内側に通過させた状態とすることで、子供を横抱きする態様で使用することが可能となる。
【発明の効果】
【００４８】
本発明に係る子守帯では、子供の頭からの脱落を抑制させることが可能となる。
【図面の簡単な説明】
【００４９】
【図１】子守帯の背面視の平面図である。
【図２】子守帯の正面視の平面図である。
【図３】子守帯の使用状態の外観斜視図である。
【図４】股当ての上方筒状部の内部において子供用バックルが締結される様子を示す説明図である。
【図５】子供用ストラップ部にカバーが取り付けられる様子を示す外観図である。
【図６】股当ての上方筒状部に子供用肩ベルトを通す場合の外観図である。
【図７】股当ての下方筒状部に子供用肩ベルトを通す場合の説明図である。
【図８】フードの外観平面図である。
【図９】インサートパッドの外観平面図である。
【図１０】座部クッションの外観斜視図である。
【図１１】インサートパッドの取付状態を示す平面図である。
【図１２】インサートパッドおよび座部クッションの取付状態を示す側面図である。
【図１３】子守帯を横抱きの状態で用いる場合の状態を説明する外観斜視図（インサートパッド付属状態）である。
【図１４】大人が前屈みになった場合に第１子供用肩ベルトと第２子供用肩ベルトと股当てによって子供を支える際のこれらの変形を示す説明図である。
【図１５】変形例Ａに係る子供用肩ベルトと股当てを示す平面図である。
【図１６】変形例Ｂに係る股当てを示す平面図である。
【図１７】変形例Ｃに係る股当てを示す平面図である。
【発明を実施するための形態】
【００５０】
以下、本発明の一実施形態に係る子守帯１００について、図面を参照しながら説明する。なお、以下は本発明の例を説明するものであり、本発明はこれらの例に限定されるものではない。
【００５１】
（１）子守帯１００の概略構成
子守帯１００は、基本的には、子守帯１００と大人との間に子供が入り込む姿勢で、子供を縦抱きするようにして用いられる。特に限定されないが、子守帯１００は、生後１ヶ月〜３６ヶ月の乳幼児等の子供に対して用いることができる。
【００５２】
なお、後述するが、本実施形態の子守帯１００は、変形させることにより子供を横抱きするようにして用いることも可能である。以下では、まず、子供を縦抱きする場合を主として説明する。
【００５３】
子守帯１００は、主として大人の前側から肩と腰に固定されるようにして用いられる。
【００５４】
子守帯１００は、図１の背面視の平面図および図２の正面視の平面図に示すように、主として、本体７０、大人用腰ベルト５０、大人用肩ベルト３０、４０、子供用肩ベルト１０、２０、股当て６０、フード８０、オプション品としての座部クッション９１およびインサートパッド９５等を備えている。
【００５５】
なお、本実施形態の子守帯１００は、本体７０に対して、子供用肩ベルト１０、２０（後述する第１カバー１５および第２カバー２５を除く）、大人用肩ベルト３０、４０、大人用腰ベルト５０、および、股当て６０が縫合されるようにして取り外し不能に接続されている。
【００５６】
（２）本体７０
本体７０は、使用時に主として大人の前側の腰より上方であって首より下方の部分を覆うように広がっている。本体７０は、主に布で構成されている。
【００５７】
本体７０には、換気窓７１、換気窓ファスナー７２、小物入れ７３、ポケット７４、フード取付けボタン７６等が設けられている。
【００５８】
換気窓７１は、通気性を確保できるようにメッシュ状とされており、本体７０の中央付近であって大人側に設けられている。
【００５９】
換気窓ファスナー７２は、換気窓７１の外周に沿うように設けられており、換気窓７１の大人側とは反対側に位置している本体７０の一部によって換気窓７１を塞ぐもしくは開放することができるように、これらの間に設けられている。
【００６０】
小物入れ７３は、換気窓７１の大人側とは反対側に位置している本体７０の一部よりもさらに大人側とは反対側に布が設けられることで、小物入れ７３を構成している。なお、小物入れ７３の上端縁はファスナーによって開閉可能に構成されている。
【００６１】
ポケット７４は、小物入れ７３のさらに大人側とは反対側に設けられている。
【００６２】
フード取付けボタン７６は、本体７０の上端であって、大人側とは反対側に設けられており、後述するフード８０を取り付けることができる。
【００６３】
（３）大人用腰ベルト５０
大人用腰ベルト５０は、子守帯１００を大人の腰に固定するためのものであり、本体７０の下端よりもさらに下方において左右に広がるように設けられている。
【００６４】
大人用腰ベルト５０は、腰ベルト本体５１、腰ストラップ５２、第１腰バックル５３（大人用腰周り長さ調整機構）、第２腰バックル５４を有している。
【００６５】
腰ベルト本体５１は、本体７０の下端縁から下方に伸びた部分と、左右に伸びた部分を有している。この腰ベルト本体５１は、子守帯１００を大人が装着した際に大人の腰回りに直接当たる部分であり、クッション材を介在させて肉厚に構成されている。
【００６６】
腰ストラップ５２は、腰ベルト本体５１の左側（大人から見て左側）の端部からさらに左側に伸びるように設けられたストラップであり、腰ベルト本体５１よりも薄く構成されている。なお、腰ストラップ５２の一部は、腰ベルト本体５１の大人側とは反対側において左右に沿って重なるように設けられている。腰ストラップ５２は、樹脂繊維が編み込まれるようにして構成されている。
【００６７】
第１腰バックル５３は、腰ストラップ５２の腰ベルト本体５１側の端部とは反対側であって、腰ストラップ５２の途中に取り付けられている。この第１腰バックル５３には、第１腰バックル５３の腰ストラップ５２の長手方向における位置を変更できるようにアジャスターが設けられている。
【００６８】
第２腰バックル５４は、腰ベルト本体５１の右側（大人から見て右側）の端部近傍に設けられており、腰ストラップ５２の右側端部に取り付けられている。
【００６９】
第１腰バックル５３と第２腰バックル５４とは、連結および切り離しが可能となっている。なお、第１腰バックル５３および第２腰バックル５４は、いずれも樹脂部材によって構成されている。
【００７０】
大人用腰ベルト５０の第１腰バックル５３と第２腰バックル５４とが連結された状態は、子守帯１００の使用状態の外観斜視図である図３において示されている。
【００７１】
（４）大人用肩ベルト３０、４０
大人用肩ベルト３０、４０は、子守帯１００を大人の肩に引っ掛けて固定するためのものであり、大人の左肩に掛けて用いられる第１大人用肩ベルト３０と、大人の右肩に掛けて用いられる第２大人用肩ベルト４０とがある。
【００７２】
これらの第１大人用肩ベルト３０と第２大人用肩ベルト４０は、いずれも本体７０に対して縫合により連結されている。
【００７３】
第１大人用肩ベルト３０は、大人側から見て本体７０の左側においてループ状に設けられており、第１接続箇所３０ａにおいて本体７０と接続されており、第１大人用肉厚部３１、第１大人用ストラップ部３２、第１大人用ストラップ長さ調整機構３３、第１サポートベルト３４、第１サポートバックル３５を有している。
【００７４】
第１大人用肉厚部３１は、一端が、本体７０の左上（大人側から見て左上）における第１接続箇所３０ａを介して本体７０に縫合固定されている。この第１大人用肉厚部３１は、子守帯１００を大人が装着した際に大人の左肩回り（左肩の上方および後ろ側）に直接当たる部分であり、クッション材を介在させて肉厚に構成されている。
【００７５】
第１大人用ストラップ部３２は、一端が、本体７０の左縁部の高さ方向における中央近傍において縫合固定されている。なお、第１大人用ストラップ部３２の縫合固定されている側とは反対側は、第１大人用ストラップ長さ調整機構３３を介して他端まで伸びている。この第１大人用ストラップ部３２は、樹脂繊維が編み込まれるようにして構成されている。なお、後述する横抱き使用が可能となるように、第１大人用ストラップ部３２の最大長さは、第１大人用肉厚部３１の長さの８０％以上となるように構成されている。
【００７６】
第１大人用ストラップ長さ調整機構３３は、第１大人用肉厚部３１の第１接続箇所３０ａ側とは反対側の端部に固定されている。第１大人用ストラップ長さ調整機構３３には、第１大人用ストラップ部３２の長手方向における位置を変更できるようにアジャスターが設けられている。この第１大人用ストラップ長さ調整機構３３は、樹脂部材によって構成されている。
【００７７】
第１サポートベルト３４は、樹脂繊維が編み込まれるようにして構成されており、第１大人用肉厚部３１の長手方向の中央近傍から延び出したベルトである。
【００７８】
第１サポートバックル３５は、樹脂部材によって構成されており、第１サポートベルト３４の第１大人用肉厚部３１側端部とは反対側に固定されている。第１サポートバックル３５は、後述する第２サポートベルト４４の先端に設けられた第２サポートバックル４５と連結させて用いられる。
【００７９】
第２大人用肩ベルト４０は、第１大人用肩ベルト３０と同様ではあるが、大人側から見て本体７０の右側においてループ状に設けられており、第２接続箇所４０ａにおいて本体７０と接続されており、第２大人用肉厚部４１、第２大人用ストラップ部４２、第２大人用ストラップ長さ調整機構４３、第２サポートベルト４４、第２サポートバックル４５を有している。
【００８０】
第２大人用肉厚部４１は、一端が、本体７０の右上（大人側から見て右上）における第２接続箇所４０ａを介して本体７０に縫合固定されている。この第２大人用肉厚部４１は、子守帯１００を大人が装着した際に大人の右肩回り（右肩の上方および後ろ側）に直接当たる部分であり、クッション材を介在させて肉厚に構成されている。
【００８１】
第２大人用ストラップ部４２は、一端が、本体７０の右縁部の高さ方向における中央近傍において縫合固定されている。なお、第２大人用ストラップ部４２の縫合固定されている側とは反対側は、第２大人用ストラップ長さ調整機構４３を介して他端まで伸びている。この第２大人用ストラップ部４２は、樹脂繊維が編み込まれるようにして構成されている。なお、後述する横抱き使用が可能となるように、第２大人用ストラップ部４２の最大長さは、第２大人用肉厚部４１の長さの８０％以上となるように構成されている。
【００８２】
第２大人用ストラップ長さ調整機構４３は、第２大人用肉厚部４１の第２接続箇所４０ａ側とは反対側の端部に固定されている。第２大人用ストラップ長さ調整機構４３には、第２大人用ストラップ部４２の長手方向における位置を変更できるようにアジャスターが設けられている。この第２大人用ストラップ長さ調整機構４３は、樹脂部材によって構成されている。
【００８３】
第２サポートベルト４４は、樹脂繊維が編み込まれるようにして構成されており、第２大人用肉厚部４１の長手方向の中央近傍から延び出したベルトである。
【００８４】
第２サポートバックル４５は、樹脂部材によって構成されており、第２サポートベルト４４の第２大人用肉厚部４１側端部とは反対側に固定されている。第２サポートバックル４５は、上述の第１サポートベルト３４の先端に設けられた第１サポートバックル３５と連結させて用いられる。
【００８５】
図３に示すように、子守帯１００の使用時において、大人の背面側で第１サポートバックル３５と第２サポートバックル４５とが連結されることにより、第１サポートベルト３４と第２サポートベルト４４とが繋がる。これにより、第１大人用肩ベルト３０と第２大人用肩ベルト４０とが、第１サポートベルト３４、第１サポートバックル３５、第２サポートバックル４５、第２サポートベルト４４を介して、大人の背面側で繋がる。これにより、使用時に、第１大人用肩ベルト３０が大人の左肩から脱落することを抑制し、第２大人用肩ベルト４０が大人の右肩から脱落することを抑制することが可能になっている。
【００８６】
（５）子供用肩ベルト１０、２０
子供用肩ベルト１０、２０は、子供を子守帯１００に保持させるためのものであり、子供の右肩に掛けるようにして用いられる第１子供用肩ベルト１０と、子供の左肩に掛けるようにして用いられる第２子供用肩ベルト２０とがある。
【００８７】
これらの第１子供用肩ベルト１０と第２子供用肩ベルト２０は、いずれも一端が本体７０に対して縫合により連結されている。
【００８８】
第１子供用肩ベルト１０は、大人側から見て本体７０の左寄りであって子供側から見て右側に設けられており、使用状態の上端（図１の展開状態においては下端）において本体７０の上端と接続されており、第１子供用ストラップ部１１、第１子供用バックル１２、第１子供用肩ベルトアジャスター１３、第１カバー１５等を有している。
【００８９】
第１子供用ストラップ部１１は、第１大人用肩ベルト３０と本体７０との縫合箇所である第１接続箇所３０ａよりも内側（大人側から見て右側）であって、第２大人用肩ベルト４０と本体７０との縫合箇所である第２接続箇所４０ａよりも内側（大人側から見て左側）、すなわち、第１接続箇所３０ａと第２接続箇所４０ａとの間であって、本体７０の上端のうち大人側から見て左寄りの位置に、一端が縫合固定されており、他端まで伸びている。第１子供用ストラップ部１１は、樹脂繊維が編み込まれるようにして構成されており、扁平形状が伸びた紐状に構成されている。
【００９０】
第１子供用バックル１２は、樹脂部材によって構成されており、第１子供用ストラップ部１１のうち縫合固定されている側とは反対側に取り付けられている。第１子供用肩ベルトアジャスター１３は、第１子供用バックル１２と一体に設けられており、第１子供用ストラップ部１１の長手方向における第１子供用バックル１２の位置を変更することが可能になっている。すなわち、第１子供用肩ベルトアジャスター１３は、第１子供用肩ベルト１０の長さ調整機構として機能する。
【００９１】
この第１子供用バックル１２は、第１子供用肩ベルト１０と第２子供用肩ベルト２０とを取り付ける取付具として機能し、後述する第２子供用肩ベルト２０の第２子供用ストラップ部２１に取り付けられた第２子供用バックル２２と連結および切り離しが可能となるように構成されている。具体的には、股当て６０の上方筒状部６１の内部において第１子供用バックル１２と第２子供用バックル２２が締結される様子を示す説明図である図４において点線で示すように、後述する股当て６０の上方筒状部６１（もしくは下方筒状部６２）の内部において連結される。この第１子供用肩ベルト１０の一部と第２子供用肩ベルト２０の一部と股当て６０の一部とは、子守帯１００の使用状態において子供の首回りを取り囲む部分を構成することとなる。したがって、第１子供用肩ベルトアジャスター１３は、子供の首回りの長さの調整機構としても機能する。
【００９２】
第１カバー１５は、第１子供用ストラップ部１１の一部の周囲を覆う部材であり、第１子供用ストラップ部１１に対して取り付け固定して用いられる。具体的には、第１子供用ストラップ部１１に第１カバー１５が取り付けられる様子を示す外観図である図５に示すように、第１子供用ストラップ部１１には所定の位置における固定手段の一方として機能する第１ストラップ側ボタン１１ａが設けられており、第１カバー１５の内側には固定手段の他方として機能する第１カバー側ボタン１５ａが設けられており、第１ストラップ側ボタン１１ａが第１カバー側ボタン１５ａに留められることで、第１カバー１５が第１子供用ストラップ部１１に対して位置決め固定される。このように、第１カバー１５は、固定手段としての第１カバー側ボタン１５ａおよび第１ストラップ側ボタン１１ａを介して第１子供用ストラップ部１１に対して着脱自在に構成されている。したがって、第１カバー１５が子供のよだれ等によって汚れた場合等は、第１ストラップ側ボタン１１ａから取り外して単独で洗濯等することが可能になっている。
【００９３】
この第１カバー１５は、使用時に子供の右肩や首回りと直接対向することとなる部分である。この第１カバー１５の厚み（筒状形態での厚みではなく展開された状態での厚み）は、扁平形状の第１子供用ストラップ部１１の扁平形状部分の厚みよりも肉厚となるように構成されており、第１子供用ストラップ部１１よりも柔らかい布材質で構成されている。このため、子供の右肩周辺や首付近に対して、比較的硬い材質である第１子供用ストラップ部１１が直接触れることを防ぎ、比較的柔らかい材質である第１カバー１５が触れるようにすることが可能になっている。特に、上述したように、使用時に大人が前屈みになったとしても子供が頭から脱落してしまわないように、第１子供用肩ベルト１０は子供寄りに配置されているため、子供と第１子供用肩ベルト１０との距離が近くなっているが、この場合でも、子供の肌を刺激から守ることが可能になっている。
【００９４】
さらに、第１ストラップ側ボタン１１ａは、扁平形状の第１子供用ストラップ部１１が有する両面の扁平面のうち使用時に子供とは反対側に位置することとなる扁平面上に設けられている（図３、図４および図５の矢印参照。なお、図１では紙面の裏側に位置している）。そして、第１カバー側ボタン１５ａも、第１カバー１５のうち使用時に子供とは反対側となる位置に設けられている。したがって、使用時に第１カバー側ボタン１５ａが子供に直接触れにくい構造とし、子供の肌を刺激から守ることが可能になっている。特に、上述したように、使用時に大人が前屈みになったとしても子供が頭から脱落してしまわないように、第１子供用肩ベルト１０は子供寄りに配置されているため、子供と第１子供用肩ベルト１０との距離が近くなっており、第１カバー側ボタン１５ａも子供の近くに位置することになる。この場合でも、子供側とは反対側に第１カバー側ボタン１５ａを位置させることで、子供の肌を刺激から守ることが可能になっている。
【００９５】
第２子供用肩ベルト２０は、第１子供用肩ベルト１０と同様ではあるが、大人側から見て本体７０の右寄りであって子供側から見て左側に設けられており、使用状態の上端（図１の展開状態においては下端）において本体７０の上端と接続されており、第２子供用ストラップ部２１、第２子供用バックル２２、第２子供用肩ベルトアジャスター２３、第２カバー２５等を有している。
【００９６】
第２子供用ストラップ部２１は、第１大人用肩ベルト３０と本体７０との縫合箇所である第１接続箇所３０ａよりも内側（大人側から見て右側）であって、第２大人用肩ベルト４０と本体７０との縫合箇所である第２接続箇所４０ａよりも内側（大人側から見て左側）、すなわち、第１接続箇所３０ａと第２接続箇所４０ａとの間であって、本体７０の上端のうち大人側から見て右寄りの位置に、一端が縫合固定されており、他端まで伸びている。第２子供用ストラップ部２１は、樹脂繊維が編み込まれるようにして構成されており、扁平形状が伸びた紐状に構成されている。
【００９７】
第２子供用バックル２２は、樹脂部材によって構成されており、第２子供用ストラップ部２１のうち縫合固定されている側とは反対側に取り付けられている。第２子供用肩ベルトアジャスター２３は、第２子供用バックル２２と一体に設けられており、第２子供用ストラップ部２１の長手方向における第２子供用バックル２２の位置を変更することが可能になっている。すなわち、第２子供用肩ベルトアジャスター２３は、第２子供用肩ベルト２０の長さ調整機構として機能する。
【００９８】
この第２子供用バックル２２は、第１子供用肩ベルト１０と第２子供用肩ベルト２０とを取り付ける取付具として機能し、上述した第１子供用肩ベルト１０の第１子供用ストラップ部１１に取り付けられた第１子供用バックル１２と連結および切り離しが可能となるように構成されている。第２子供用肩ベルトアジャスター２３は、子供の首回りの長さの調整機構としても機能する。
【００９９】
第２カバー２５は、第２子供用ストラップ部２１の一部の周囲を覆う部材であり、第２子供用ストラップ部２１に対して取り付け固定して用いられる。具体的には、第２子供用ストラップ部２１に第２カバー２５が取り付けられる様子を示す外観図である図５に示すように、第２子供用ストラップ部２１には所定の位置における固定手段の一方として機能する第２ストラップ側ボタン２１ａが設けられており、第２カバー２５の内側には固定手段の他方として機能する第２カバー側ボタン２５ａが設けられており、第２ストラップ側ボタン２１ａが第２カバー側ボタン２５ａに留められることで、第２カバー２５が第２子供用ストラップ部２１に対して位置決め固定される。このように、第２カバー２５は、固定手段としての第２カバー側ボタン２５ａおよび第２ストラップ側ボタン２１ａを介して第２子供用ストラップ部２１に対して着脱自在に構成されている。したがって、第２カバー２５が汚れた場合等は、第２ストラップ側ボタン２１ａから取り外して単独で洗濯等することが可能になっている。
【０１００】
この第２カバー２５は、使用時に子供の右肩や首回りと直接対向することとなる部分である。この第２カバー２５の厚み（筒状形態での厚みではなく展開された状態での厚み）は、扁平形状の第２子供用ストラップ部２１の扁平形状部分の厚みよりも肉厚となるように構成されており、第２子供用ストラップ部２１よりも柔らかい布材質で構成されている。このため、子供の右肩周辺や首付近に対して、比較的硬い材質である第２子供用ストラップ部２１が直接触れることを防ぎ、比較的柔らかい材質である第２カバー２５が触れるようにすることが可能になっている。特に、上述したように、使用時に大人が前屈みになったとしても子供が頭から脱落してしまわないように、第２子供用肩ベルト２０は子供寄りに配置されているため、子供と第２子供用肩ベルト２０との距離が近くなっているが、この場合でも、子供の肌を刺激から守ることが可能になっている。
【０１０１】
さらに、第２ストラップ側ボタン２１ａは、扁平形状の第２子供用ストラップ部２１が有する両面の扁平面のうち使用時に子供とは反対側に位置することとなる扁平面上に設けられている（図３、図４および図５の矢印参照。なお、図１では紙面の裏側に位置している）。そして、第２カバー側ボタン２５ａも、第２カバー２５のうち使用時に子供とは反対側となる位置に設けられている。したがって、使用時に第２カバー側ボタン２５ａが子供に直接触れにくい構造とし、子供の肌を刺激から守ることが可能になっている。特に、上述したように、使用時に大人が前屈みになったとしても子供が頭から脱落してしまわないように、第２子供用肩ベルト２０は子供寄りに配置されているため、子供と第２子供用肩ベルト２０との距離が近くなっており、第２カバー側ボタン２５ａも子供の近くに位置することになる。この場合でも、子供側とは反対側に第２カバー側ボタン２５ａを位置させることで、子供の肌を刺激から守ることが可能になっている。
【０１０２】
なお、図５に示すように、第１カバー１５には長手方向に沿うように第１縫目１５ｂが形成されており、第２カバー２５にも同様に長手方向に沿うように第２縫目２５ｂが形成されている。この第１縫目１５ｂは、第１カバー１５を第１子供用ストラップ部１１に固定した状態で子供の首や肩側とは反対側に位置することとなるように設けられている。第２縫目２５ｂも同様に、第２カバー２５を第２子供用ストラップ部２１に固定した状態で子供の首や肩側とは反対側に位置することとなるように設けられている。これにより、第１縫目１５ｂや第２縫目２５ｂが子供に触れることによる肌への刺激を防ぐことが可能になっている。
【０１０３】
（６）股当て６０
股当て６０は、子供を子守帯１００に保持させるためのものであり、子供の股の間を子供の後方から子供の前側に渡すようにして、本体７０と股当て６０によって子供を挟み込むようにして用いられる。
【０１０４】
この股当て６０は、その下端が、本体７０の下方のうち、本体７０の下端と大人用腰ベルト５０の中央上端との間に対して縫合により連結されている。
【０１０５】
股当て６０は、比較的柔らかい布部材によって構成されており、上方筒状部６１、下方筒状部６２、股当て部分６３等を有している。
【０１０６】
股当て部分６３は、使用状態における股当て６０の最も下方の部分を構成しており、子供の股を子供の下方から前側に掛けて支持する部分である。この股当て部分６３の下端は、上述のように、本体７０の下端と大人用腰ベルト５０の中央上端との間に縫合されることで固定されている。
【０１０７】
下方筒状部６２は、股当て部分６３の上端において繋がるように設けられている。この下方筒状部６２は、前後方向に２枚の布部材が重なっており、その上下の両端は縫合され、左右の両端が開放されることで、左右方向に貫通した筒状に構成されている。
【０１０８】
上方筒状部６１は、下方筒状部６２の上端において繋がるように設けられている。この上方筒状部６１は、下方筒状部６２と同様であり、前後方向に２枚の布部材が重なっており、その下端は縫合され、上方は折返しされており、左右の両端が開放されることで、左右方向に貫通した筒状に構成されている。なお、上方筒状部６１には、内部にウレタン樹脂シート等のクッション材を介在させることで、下方筒状部６２よりも肉厚で子供に対して柔らかく接触するように構成している。
【０１０９】
なお、上方筒状部６１と下方筒状部６２との境界は、縫目が左右に伸びるように設けられているため、当該縫目を山折りもしくは谷折りすることが容易になっている。
【０１１０】
この股当て６０は、股当て６０の上方筒状部６１に第１子供用肩ベルト１０および第２子供用肩ベルト２０を通す場合の外観図である図６に示すように、比較的大きく成長した子供に対しては、第１子供用肩ベルト１０および第２子供用肩ベルト２０を、股当て６０の下方筒状部６２ではなく上方筒状部６１の筒状部分の内側を通すようにして用いる。これにより、股当て６０のうち上方筒状部６１と下方筒状部６２と股当て部分６３の合計の縦方向の長さ分により子供の前側を覆うことが可能になる。なお、このように第１子供用肩ベルト１０および第２子供用肩ベルト２０を股当て６０の上方筒状部６１の内部に通過させて用いる場合には、子供の首回りを取り囲む部分は、第１子供用肩ベルト１０と、第２子供用肩ベルト２０と、股当て６０の上方筒状部６１の上端縁と、によって構成されることになる。
【０１１１】
また、股当て６０は、股当て６０の下方筒状部６２に第１子供用肩ベルト１０および第２子供用肩ベルト２０を通す場合の説明図である図７に示すように、比較的小さな子供に対しては、第１子供用肩ベルト１０および第２子供用肩ベルト２０を、股当て６０の上方筒状部６１ではなく下方筒状部６２の筒状部分の内側を通すようにして用いる。これにより、股当て６０のうち下方筒状部６２と股当て部分６３の合計の縦方向の長さ分だけで子供の前側を覆うことが可能になる。この際、股当て６０の上方筒状部６１は、図７において矢印で示すように、子供側に折り込まれる。ここで、上方筒状部６１は、上述のように下方筒状部６２よりも肉厚で且つ柔らかく構成されているため、折り込みによって子供側に直接触れることになったとしても、子供にとって心地よい状態を確保することが可能になる。なお、このように第１子供用肩ベルト１０および第２子供用肩ベルト２０を股当て６０の下方筒状部６２の内部に通過させて用いる場合には、子供の首回りを取り囲む部分は、第１子供用肩ベルト１０と、第２子供用肩ベルト２０と、股当て６０の下方筒状部６２の上端縁と、によって構成されることになる。
【０１１２】
なお、このように、第１子供用肩ベルト１０および第２子供用肩ベルト２０を上方筒状部６１と下方筒状部６２とで選択可能としているため、子供の大きさに応じて、子供を本体７０、股当て６０、第１子供用肩ベルト１０および第２子供用肩ベルト２０によって安定的に保持できるようにすることが可能となっている。具体的には、比較的小さな子供に対しては、第１子供用肩ベルト１０および第２子供用肩ベルト２０を、上方筒状部６１ではなく下方筒状部６２を通過させるようにして用いることで、第１子供用肩ベルト１０および第２子供用肩ベルト２０を子供の肩周辺の近くに配置させることが可能になる。これにより、比較的小さな子供を抱いた大人が前屈みになった場合であっても、その小さな子供が頭から脱落することを防ぐことが可能になっている。
【０１１３】
ここで、上方筒状部６１または下方筒状部６２の内部では、第１子供用肩ベルト１０と第２子供用肩ベルト２０とが連結されることになるが、その際には、樹脂部材によって構成された第１子供用バックル１２と第２子供用バックル２２が、股当て６０の上方筒状部６１または下方筒状部６２の内部に位置することとなる。このように、比較的硬い部材によって構成された第１子供用バックル１２と第２子供用バックル２２が第１子供用肩ベルト１０と第２子供用肩ベルト２０との連結に用いられる場合であっても、この第１子供用バックル１２と第２子供用バックル２２は股当て６０の上方筒状部６１または下方筒状部６２の内部に収容され、子供に直接触れることが無い。特に、第１子供用バックル１２と第２子供用バックル２２が股当て６０の上方筒状部６１の内部に収容される場合であっても、上方筒状部６１は肉厚に構成されていることから、第１子供用バックル１２と第２子供用バックル２２が子供に与える違和感を低減させることができる。また、第１子供用バックル１２と第２子供用バックル２２が股当て６０の下方筒状部６２の内部に収容される場合であっても、肉厚に構成された上方筒状部６１は子供側に折り込まれることにより、第１子供用バックル１２および第２子供用バックル２２と子供との間に介在させることができ、上記同様に違和感を低減させることができる。
【０１１４】
（７）フード８０
フード８０は、必要に応じて本体７０の上端であって大人とは反対側に取り付けて用いられ、子供の頭を支えることができ、直射日光から保護することもできる。
【０１１５】
このフード８０は、外観平面図である図８に示すように、フード本体８１、第１大人用肩ベルト側固定部８４、第２大人用肩ベルト側固定部８２等を有している。
【０１１６】
フード本体８１は、布で構成されており、下端には本体７０の上端のフード取付けボタン７６に留めることができるようにボタン８６が複数設けられている。
【０１１７】
第１大人用肩ベルト側固定部８４は、フード本体８１の上端の一部から伸び出しており、図３に示す第１大人用肩ベルトボタン３９に留めることができるようにボタン８５が設けられている。なお、このボタン８５は、第１大人用肩ベルト側固定部８４の長手方向に沿って並ぶように複数設けられており、留める位置を調節することができる。
【０１１８】
第２大人用肩ベルト側固定部８２は、フード本体８１の上端のうち第１大人用肩ベルト側固定部８４が伸び出している側とは反対側の一部から伸び出しており、第２大人用肩ベルトボタン４９に留めることができるようにボタン８３が設けられている。なお、このボタン８３も、第２大人用肩ベルト側固定部８２の長手方向に沿って並ぶように複数設けられており、留める位置を調節することができる。
【０１１９】
なお、フード８０が本体７０に取り付けられている様子は、横抱き使用の状態ではあるが、図１３においても示されている。
【０１２０】
（８）インサートパッド９５
インサートパッド９５は、比較的小さな子供を抱く際に、本体７０の大人側であって、本体７０と子供との間に取り付けて用いられる。これにより、本体７０と子供の周囲の隙間を埋めることが可能になる。
【０１２１】
インサートパッド９５は、比較的柔らかいクッション素材によって構成されており、外観平面図である図９に示すように、パッド本体９６、パッド取付けベルト９７、パッド取付けボタン９８等を有している。
【０１２２】
パッド取付けベルト９７は、パッド本体９６の左右の下方において一端が縫合固定されており、他端近傍にはパッド取付けボタン９８が設けられている。
【０１２３】
インサートパッド９５は、インサートパッド９５の取付状態を示す平面図である図１１および、インサートパッド９５および座部クッション９１の取付状態を示す側面図である図１２に示すように、左右の各パッド取付けベルト９７が、それぞれ第１大人用肩ベルト３０の第１大人用ストラップ部３２と、第２大人用肩ベルト４０の第２大人用ストラップ部４２と、に引っ掛けつつパッド取付けボタン９８を留めて取り付けられる（図１１の矢印参照）。
【０１２４】
まだ首のすわらないような比較的小さな子供については、インサートパッド９５を用いることにより、第１子供用肩ベルト１０および第２子供用肩ベルト２０によってインサートパッド９５超しに子供の肩周りを保持することができる。これにより、子供の頭からの脱落を抑制するだけでなく、子供を安定した状態に保つことが可能になる。
【０１２５】
（９）座部クッション９１
座部クッション９１も、比較的小さな子供を抱く際に、本体７０と股当て６０との間の下方の位置に取り付けて用いられる。これにより、座高の低い子供の上下位置を最適位置にすることが可能になる。
【０１２６】
座部クッション９１は、比較的柔らかいクッション素材によって構成されており、外観斜視図である図１０に示すように、クッション本体９２、クッションベルト部９３等を有している。
【０１２７】
クッションベルト部９３は、クッション本体９２の大人側において左右に伸びるように設けられており、左右がクッション本体９２に縫合固定され、上下が開放されるように設けられている。
【０１２８】
座部クッション９１は、インサートパッド９５および座部クッション９１の取付状態を示す側面図である図１２に示すように、股当て６０をクッション本体９２とクッションベルト部９３との間に通じるようにして取り付け固定される。
【０１２９】
なお、座部クッション９１は、第１子供用肩ベルト１０と第２子供用肩ベルト２０とを股当て６０の下方筒状部６２に通した場合であっても上下の隙間が生ずる場合に特に効果的に用いることができる。
【０１３０】
（１０）横抱き使用の場合について
以上では、子守帯１００を縦抱きで用いる場合について説明したが、子守帯１００の使用方法はこれに限られるものではなく、図１３に示すように、横抱きで用いることも可能である。なお、図１３では、子守帯１００を横抱きの状態であって、インサートパッド９５を付属させている状態を例として示している。
【０１３１】
縦抱き状態から横抱き状態への変形は、以下の手順で行うことができる。
【０１３２】
まず、第１大人用肩ベルト３０の第１大人用ストラップ長さ調整機構３３によって、第１大人用ストラップ部３２の長さが最大となるようにもしくは最大よりも若干短くなるように調整する。同様に、第２大人用肩ベルト４０の第２大人用ストラップ長さ調整機構４３によって、第２大人用ストラップ部４２の長さが最大となるようにもしくは最大よりも若干短くなるように調整する。
【０１３３】
そして、大人用腰ベルト５０の内側に、第１大人用肩ベルト３０の第１大人用ストラップ部３２および第２大人用肩ベルト４０の第２大人用ストラップ部４２を通すようにしつつ、腰ストラップ５２の長さが最短となるように、第１腰バックル５３の位置を調節する。
【０１３４】
さらに、フード８０が取り付けられていない場合には、フード８０を取り付ける。
【０１３５】
この子守帯１００では、第１大人用ストラップ部３２の最大長さが第１大人用肉厚部３１の長さの８０％以上となるように長く構成されており、第２大人用ストラップ部４２の最大長さについても第２大人用肉厚部４１の長さの８０％以上となるように長く構成されているため、上記変形の工程を経て、横抱きが可能な状態とすることができる。
【０１３６】
なお、子守帯１００を横抱き可能な状態にして、子供を横抱きする場合には、子供の足を大人用腰ベルト５０の内側に位置させ、子供の胴体を本体７０の上に位置させ、子供の頭をインサートパッド９５によって包み込む。なお、横抱き状態での使用は、主として首のすわらない月齢４ヶ月未満の身長が小さな子供に対して行われるため、本体７０やインサートパッド９５だけで子供が安定的に支えられることとなる。なお、フード８０は、子供の頭部を外部から保護する役割を果たす。
【０１３７】
（１１）本実施形態の特徴
本実施形態に係る子守帯１００では、第１子供用肩ベルト１０および第２子供用肩ベルト２０が、本体７０と第１大人用肩ベルト３０とを繋ぐ第１接続箇所３０ａと、本体７０と第２大人用肩ベルト４０とを繋ぐ第２接続箇所４０ａとの間から伸び出すようにして設けられているため、第１子供用肩ベルト１０が第１大人用肩ベルト３０の一部に接続される場合や第２子供用肩ベルト２０が第２大人用肩ベルト４０の一部に接続される場合と比べて、第１子供用肩ベルト１０および第２子供用肩ベルト２０をより子供の近くに配置させることができている。具体的には、子供の左右の肩の上方であって首近くに配置させることができている。このため、子守帯１００を用いて子供を縦に抱いた使用時において、大人が地面に落ちているものに手を伸ばす等により前屈みの姿勢になったとしても、本体７０と大人との間において頭から脱落しそうになる子供の肩を、第１子供用肩ベルト１０および第２子供用肩ベルト２０が支えることが可能になる。これにより、使用時に大人が前屈みになった場合であっても子供の頭からの脱落を防ぐことが可能となる。なお、子供の頭からの脱落を抑制できることは、子守帯１００を用いて子供を対面抱きしている場合に限られず、前向き抱きしている場合であってもおんぶしている場合であっても同様に抑制できる。
【０１３８】
また、本実施形態の股当て６０は、比較的柔らかい布によって構成されている。このため、大人が前屈みの姿勢となって子供が頭から脱落しそうになった場合において、子供の肩が第１子供用肩ベルト１０および第２子供用肩ベルト２０によって支えられている状態では、柔らかい布で構成された股当て６０の上方筒状部６１（または下方筒状部６２）の上端を、左右方向の幅が縮まってシワがはいるように変形させることができる（図１４の実線から一点鎖線への変更を示す矢印参照）。これにより、第１子供用肩ベルト１０と第２子供用肩ベルト２０との間隔を狭めて、より子供の首側近くに位置させることが可能となるため、子供の頭からの脱落をより確実に防ぐことが可能になる。
【０１３９】
（１２）変形例
（１２−１）変形例Ａ
上記実施形態では、第１子供用肩ベルト１０と第２子供用肩ベルト２０を備え、股当て６０が上方筒状部６１と下方筒状部６２とを有し、第１子供用肩ベルト１０と第２子供用肩ベルト２０をいずれかの筒状部に通過させて子供を保持する場合を例に挙げて説明した。
【０１４０】
しかし、子供用肩ベルトと股当てによる子供の保持は、この構成に限られず、例えば、図１５に示すように、複数に分割されていない１本の子供用肩ベルト２１０と、上方筒状部６１と下方筒状部６２が設けられていない股当て２６０と、によっても保持することができる。なお、１本の子供用肩ベルト２１０は、その両端が本体７０の上端に対して縫合固定されていてもよいし、一端が縫合固定されており他端が着脱自在に構成されていてもよい。また、子供用肩ベルト２１０は、長さ調整が可能に構成されていてもよい。
【０１４１】
この子供用肩ベルト２１０は、下端近傍の子供側の面において面ファスナー２１７（例えば面ファスナーのフック面）を有しており、股当て２６０は上方部分２６１の子供側とは反対側の面において面ファスナー２６１ａ（例えば面ファスナーの柔らかいループ面）が設けられている。
【０１４２】
この構成であっても、図１５の矢印で示すように、子供の大きさに応じて、面ファスナー２１７、２６１ａの接合位置を変えることにより、子供の大きさに応じて安定的に子供を保持することが可能になる。
【０１４３】
（１２−２）変形例Ｂ
上記実施形態では、股当て６０の上方筒状部６１と下方筒状部６２との間が前後方向から縫合されている場合を例に挙げて説明した。
【０１４４】
しかし、上方筒状部６１と下方筒状部６２との境界が縫合された股当て６０ではなく、例えば、図１６に示すように、開閉可能に構成された股当て３６０を用いてもよい。
【０１４５】
この股当て３６０は、上記実施形態と同様の上方筒状部３６１と下方筒状部３６２を有しているが、上方筒状部３６１と下方筒状部３６２の境界部分は、子供側の布の内側に設けられた面ファスナー３６８と、大人側の布の内側に設けられた面ファスナー３６９と、によって開閉可能に構成されている。
【０１４６】
このような股当て３６０によれば、解放時に上方筒状部３６１と下方筒状部３６２とを連通させた状態にすることができ、第１子供用肩ベルト１０および第２子供用肩ベルト２０を通過させるための開口部を広く確保することが可能となり、第１子供用肩ベルト１０と第２子供用肩ベルト２０との連結作業が容易になる。
【０１４７】
なお、上記面ファスナー３６８、３６９は、ボタン等の他の手段であってもよい。
【０１４８】
（１２−３）変形例Ｃ
上記実施形態では、股当て６０の上方筒状部６１と下方筒状部６２との左右の端部が上下方向にまっすぐに伸びて構成されている場合を例に挙げて説明した。
【０１４９】
しかし、例えば、図１７に示すように、大人側の左右の端部を切り欠いた形状の股当て４６０を用いるようにしてもよい。
【０１５０】
この股当て４６０では、上記実施形態と同様の上方筒状部４６１と下方筒状部４６２を有しているが、上方筒状部４６１の大人側の布の左右の両端が一部内側に向けて凹んだ凹み４６１ａを有しており、下方筒状部４６２も同様に大人側の布の左右の両端が一部内側に向けて凹んだ凹み４６２ａを有している。
【０１５１】
このように、上方筒状部４６１において凹み４６１ａを設け、下方筒状部４６２において凹み４６２ａを設けることで、第１子供用肩ベルト１０と第２子供用肩ベルト２０との連結作業を行う際に邪魔になる布部分を小さくすることが可能になり、連結作業が容易になる。
【０１５２】
（１２−４）変形例Ｄ
上記実施形態では、第１子供用肩ベルト１０について、第１子供用ストラップ部１１の所定の位置に第１ストラップ側ボタン１１ａが設けられ、第１カバー１５の内側には第１カバー側ボタン１５ａが設けられることで、第１カバー１５が第１子供用ストラップ部１１に取り付けられる場合（第２子供用肩ベルト２０についても同様）を例に挙げて説明した。
【０１５３】
しかし、第１カバー１５の第１子供用ストラップ部１１に対する固定手段としては、ボタンに限られず、面ファスナー等の他の固定手段を用いてもよい（第２子供用肩ベルト２０についても同様）。なお、面ファスナーを設ける場合には、ループ面を子供用ストラップ部側に設けフック面をカバー側に設けることが好ましい。
【０１５４】
また、第１カバー１５の第１子供用ストラップ部１１に対する固定位置を変更できるように、第１カバー１５と第１子供用ストラップ部１１のいずれかに複数のボタンを設けるようにしてもよいし、面ファスナーを長手方向に沿うように十分な長さだけ設けるようにしてもよい（第２子供用肩ベルト２０も同様）。このように複数のボタンや十分な長さの面ファスナーを設けた場合には、取り付け状態において固定に寄与しない部分が外部に露出しないように構成されていることが好ましい。
【０１５５】
（１２−５）変形例Ｅ
上記実施形態では、第１子供用肩ベルト１０の第１カバー１５と第２子供用肩ベルト２０の第２カバー２５の全体を肉厚に構成させる場合を例に挙げて説明した。
【０１５６】
しかし、第１カバー１５や第２カバー２５の全体を肉厚に構成させる必要は無く、例えば、子供側に面する部分のみを肉厚に構成させるようにしてもよい。
【符号の説明】
【０１５７】
１０  第１子供用肩ベルト（子供用肩ベルト、子供の首回りを取り囲む部分）
１１  第１子供用ストラップ部
１１ａ  第１ストラップ側ボタン（固定手段）
１２  第１子供用バックル（取付具）
１３  第１子供用ベルトアジャスター（首回り長さ調整機構）
１５  第１カバー
１５ａ  第１カバー側ボタン（固定手段）
１５ｂ  第１縫目
２０  第２子供用肩ベルト（子供用肩ベルト、子供の首回りを取り囲む部分）
２１  第２子供用ストラップ部
２１ａ  第２ストラップ側ボタン（固定手段）
２２  第２子供用バックル（取付具）
２３  第２子供用ベルトアジャスター（首回り長さ調整機構）
２５  第２カバー
２５ａ  第２カバー側ボタン（固定手段）
２５ｂ  第２縫目
３０  第１大人用肩ベルト
３０ａ  第１接続箇所
３１  第１大人用肉厚部
３２  第１大人用ストラップ部
３３  第１大人用ストラップ長さ調整機構
３４  第１サポートベルト
３５  第１サポートバックル
４０  第２大人用肩ベルト
４０ａ  第２接続箇所
４１  第２大人用肉厚部
４２  第２大人用ストラップ部
４３  第２大人用ストラップ長さ調整機構
４４  第２サポートベルト
４５  第２サポートバックル
５０  大人用腰ベルト
５１  腰ベルト本体
５２  腰ストラップ
５３  第１腰バックル（大人用腰周り長さ調整機構）
５４  第２腰バックル
６０  股当て
６１  上方筒状部（上下長さ調整機構）
６２  下方筒状部（上下長さ調整機構）
６３  股当て部分
７０  本体
７１  換気窓
７２  換気窓ファスナー
７３  小物入れ
７４  ポケット
７６  フード取付けボタン
８０  フード
９１  座部クッション
９２  クッション本体
９３  クッションベルト部
９５  インサートパッド
９６  パッド本体
９７  パッド取付けベルト
９８  パッド取付けボタン
１００  子守帯
Ｃ  子供
【先行技術文献】
【特許文献】
【０１５８】
【特許文献１】特開２００６−２５８５７号公報
【特許文献２】特開２０１３−１６２９７４号公報
【特許文献３】特許第５９０２２６５号
【図１】
2020127880.tif 000003
【図２】
2020127880.tif 000004
【図３】
2020127880.tif 000005
【図４】
2020127880.tif 000006
【図５】
2020127880.tif 000007
【図６】
2020127880.tif 000008
【図７】
2020127880.tif 000009
【図８】
2020127880.tif 000010
【図９】
2020127880.tif 000011
【図１０】
2020127880.tif 000012
【図１１】
2020127880.tif 000013
【図１２】
2020127880.tif 000014
【図１３】
2020127880.tif 000015
【図１４】
2020127880.tif 000016
【図１５】
2020127880.tif 000017
【図１６】
2020127880.tif 000018
【図１７】
2020127880.tif 000019
【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
本体と、
前記本体に取り付けられた第１大人用肩ベルトおよび第２大人用肩ベルトと、
前記本体と前記第１大人用肩ベルトの上方における第１接続箇所と前記本体と前記第２大人用肩ベルトの上方における第２接続箇所の間であって前記第１大人用肩ベルト側の位置に一端が固定されており、他端が前記第１接続箇所と前記第２接続箇所の間であって前記第２大人用肩ベルト側の位置に対して着脱自在である子供用肩ベルトと、
を備えた子守帯。
【請求項２】
前記本体の下方から伸び出した股当てと、
前記子供用肩ベルトの一部を前記股当ての上下方向における異なる位置に係止可能な上下長さ調整機構と、
をさらに備えた請求項１に記載の子守帯。
【請求項３】
前記股当ては、上方筒状部と、前記上方筒状部よりも下方に位置する少なくとも１つの下方筒状部と、を有しており、
前記上下長さ調整機構は、前記子供用肩ベルトの一部の通過位置を、前記上方筒状部内と前記下方筒状部内とで選択可能とすることによる調整機構である、
請求項２に記載の子守帯。
【請求項４】
前記股当ては、前記上方筒状部の方が前記下方筒状部よりも肉厚に構成されている、
請求項３に記載の子守帯。
【請求項５】
本体と、
前記本体に取り付けられた第１大人用肩ベルトおよび第２大人用肩ベルトと、
前記本体と前記第１大人用肩ベルトの上方における第１接続箇所と前記本体と前記第２大人用肩ベルトの上方における第２接続箇所の間であって前記第１大人用肩ベルト側の位置に一端が固定されており、他端が前記第１接続箇所と前記第２接続箇所の間であって前記第２大人用肩ベルト側の位置に固定されている子供用肩ベルトと、
前記本体の下方から伸び出した股当てと、
を備え、
前記子供用肩ベルトは、両端の間に位置する固定部を有し、
前記股当ては、前記固定部が固定される被固定部を有している、
子守帯。
【請求項６】
前記子供用肩ベルトを含む子供の首回りを取り囲む部分を、子供の首回りに近づける程度を調整可能な首回り長さ調整機構をさらに備えた、
請求項１から５のいずれか１項に記載の子守帯。
【請求項７】
前記子供用肩ベルトは、長さ調整が可能であり、
前記首回り長さ調整機構は、前記子供用肩ベルトの長さを調節することによる調整機構である、
請求項６に記載の子守帯。
【請求項８】
前記子供用肩ベルトは、子供用ストラップ部と、前記子供用ストラップ部よりも肉厚であり前記子供用ストラップ部の周囲を覆うカバーと、を有している、
請求項１から７のいずれか１項に記載の子守帯。
【請求項９】
前記カバーは、前記子供用ストラップ部に対して固定手段を介して位置決め固定されており、
前記固定手段は、子供側とは反対側に設けられている、
請求項８に記載の子守帯。
【請求項１０】
前記固定手段は、前記子供用ストラップ部に対する前記カバーの位置を変えて固定することが可能となるように構成されている、
請求項９に記載の子守帯。
【請求項１１】
子供のおしりの下に敷かれる座部クッションをさらに備え、
前記座部クッションは、前記股当てを内側に通過させることが可能なクッションベルト部を有している、
請求項２から５のいずれか１項に記載の子守帯。
【請求項１２】
前記本体の下方に設けられ、大人の腰回りの長さを調整可能な大人用腰周り長さ調整機構を有する大人用腰ベルトをさらに備え、
前記第１大人用肩ベルトは、長さを調整可能な第１大人用ストラップ長さ調整機構を有する第１大人用ストラップ部と、前記第１大人用ストラップ部よりも肉厚な第１大人用肉厚部と、を有しており、
前記第１大人用ストラップ部の最大長さは、前記第１大人用肉厚部の長さの８０％以上であり、
前記第２大人用肩ベルトは、長さを調整可能な第２大人用ストラップ長さ調整機構を有する第２大人用ストラップ部と、前記第２大人用ストラップ部よりも肉厚な第２大人用肉厚部と、を有しており、
前記第２大人用ストラップ部の最大長さは、前記第２大人用肉厚部の長さの８０％以上であり、
前記第１大人用ストラップ部と前記第２大人用ストラップ部とは、いずれも前記大人用腰ベルトの内側に通過させることが可能な位置に設けられている、
請求項１から１１のいずれか１項に記載の子守帯。